(57)【要約】【課題】簡易に組立可能で且つ支持力を確保することが可能な駐車場用架台を提供すること。【解決手段】屋外の地盤に打設される複数の鋼管杭の杭頭部に接合される又は地盤に設置されたコンクリート基礎に固定される柱脚部プレートと、柱脚部プレートから立設される複数の斜柱と、複数の斜柱により支持される架構と、を備え、複数の斜柱の各々は、柱脚部プレート及び架構に直接固定される駐車場用架台。なお、直接固定は、ボルト及びナットのみにより実現される。【選択図】図３
2016125252.tif 000002
【特許請求の範囲】
【請求項１】
屋外の地盤に打設される複数の鋼管杭の杭頭部に接合される又は地盤に設置されたコンクリート基礎に固定される柱脚部プレートと、
前記柱脚部プレートから立設される複数の斜柱と、
前記複数の斜柱により支持される架構と、を備え、
前記複数の斜柱の各々は、前記柱脚部プレート及び前記架構に直接固定されることを特徴とする駐車場用架台。
【請求項２】
前記直接固定は、ボルト及びナットのみにより実現されることを特徴とする請求項１に記載の駐車場用架台。
【請求項３】
前記架構は、一端側に設けられる第１接続部と、略中央に設けられる第２接続部と、他端側に設けられる第３接続部と、を有し、
前記柱脚部プレートは、前記第１接続部と前記第２接続部の間の直下位置に配置される第１柱脚部プレートと、前記第２接続部と前記第３接続部の間の直下位置に配置される第２柱脚部プレートと、を含み、
前記複数の支柱は、
前記第１柱脚部プレートと前記第１接続部とに直接固定される第１斜柱と、
前記第１柱脚部プレートと前記第２接続部とに直接固定される第２斜柱と、
前記第２柱脚部プレートと前記第２接続部とを直接固定される第３斜柱と、
前記第２柱脚部プレートと前記第３接続部とを直接固定される第４斜柱と、を有することを特徴とする請求項１に記載の駐車場用架台。
【請求項４】
前記第１斜柱、前記第２斜柱、前記第３斜柱及び前記第４斜柱は、トラス構造体を構成することを特徴とする請求項３に記載の駐車場用架台。
【請求項５】
前記架構はウェブ部を有するＴ形鋼であり、
前記第１斜柱及び前記第３斜柱は、前記ウェブ部の一方の面に直接固定され、
前記第２斜柱及び前記第４斜柱は、前記ウェブ部の他方の面に直接固定されることを特徴とする請求項３に記載の駐車場用架台。
【請求項６】
前記第２斜柱及び前記第３斜柱は、前記ウェブ部の同一位置においてボルト及びナットにより両面に固定されることを特徴とする請求項５に記載の駐車場用架台。
【請求項７】
前記第１柱脚部プレート及び前記第２柱脚部プレートは、前記架構のウェブ部と平行な平面を有する平板状のプレートであり、
前記第１斜柱は、前記第１柱脚部プレートの前記一方の面側の面に直接固定され、
前記第２斜柱は、前記第１柱脚部プレートの前記他方の面側の面に直接固定され、
前記第３斜柱は、前記第２柱脚部プレートの前記一方の面側の面に直接固定され、
前記第４斜柱は、前記第２柱脚部プレートの前記他方の面側の面に直接固定されることを特徴とする請求項５に記載の駐車場用架台。
【発明の詳細な説明】
【技術分野】
【０００１】
本発明は、駐車場用架台に関する。
【背景技術】
【０００２】
従来、屋外に設置される駐車場であって、その屋根部分に太陽電池パネル等を搭載させる骨組構造体が知られている（例えば、特許文献１参照）。
【０００３】
特許文献１には、屋外の地盤から立設される複数の支柱と、複数の支柱より支持される上部架構と、を備え、上部架構は、その一部に設けられる第１接続部と、第１接続部から離れた位置に設けられる第２接続部と、を有し、複数の支柱は、第１接続部に接続される第１斜柱及び第２斜柱と、第２接続部に接続される第３斜柱と、を有する組柱を少なくとも一組含み、組柱は、それぞれの斜柱の下部が地盤に対して埋設される骨組構造体の技術が開示されている。これにより、簡単な構成によって支持力を確保することができる。
【先行技術文献】
【特許文献】
【０００４】
【特許文献１】特開２０１４−１８０１９５号公報
【発明の概要】
【発明が解決しようとする課題】
【０００５】
しかしながら、特許文献１に開示された技術では、支柱と上部架構とが接続される第１接続部や第２接続部において支柱挿入部や骨組挿入部の別部材を設ける等、多くの部品点数を要するものとなっていた。また、各支柱は地盤に対して斜めに埋設されるため、各支柱とこれら支柱挿入部等を精度良く接続させることは困難であった。
【０００６】
本発明は、上記のような事情に鑑みてなされたものであって、簡易に組立可能で且つ支持力を確保することが可能な駐車場用架台を提供することを目的とする。
【課題を解決するための手段】
【０００７】
上記の目的を達成するために、本発明に係る駐車場用架台は、屋外の地盤に打設される複数の鋼管杭と、前記複数の鋼管杭の各々の杭頭部に接合される又は地盤に設置されたコンクリート基礎に固定される柱脚部プレートと、前記柱脚部プレートから立設される複数の斜柱と、前記複数の斜柱により支持される架構と、を備え、前記複数の斜柱の各々は、前記柱脚部プレート及び前記架構に直接固定されることを特徴とする。
【発明の効果】
【０００８】
本発明によれば、簡易に組立可能で且つ支持力を確保することができる。
【図面の簡単な説明】
【０００９】
【図１】本実施形態に係る駐車場用架台の全体概要を示す図である。
【図２】本実施形態に係る駐車場用架台の一部構成を示す図である。
【図３】本実施形態に係る駐車場用架台を側方から見た図である。
【図４】本実施形態に係る架構と各斜柱の接続態様を示す図である。
【図５】本実施形態に係る柱脚部プレートと各斜柱の接続態様を示す図である。
【図６】本実施形態に係る架構と各母屋材の接続態様を示す図である。
【発明を実施するための形態】
【００１０】
以下、本発明の実施形態について説明する。
【００１１】
［駐車場用架台の構成］
図１は、本実施形態に係る駐車場用架台の全体概要を示す図である。図２は、本実施形態に係る駐車場用架台の一部構成を示す図である。図１では、駐車場用架台１の全体概要を斜視図で示している。図２では、図１の駐車場用架台１の一部を斜視図で示している。
【００１２】
駐車場用架台１は、屋外に設置される組立式の駐車場である。この駐車場用架台１は、地盤Ｇに打設される複数の鋼管杭２ａ、２ｂ（第１鋼管杭２ａ、第２鋼管杭２ｂ）と、各鋼管杭２ａ、２ｂの杭頭部に溶接により接合される複数の柱脚部プレート３ａ、３ｂ（第１柱脚部プレート３ａ、第２柱脚部プレート３ｂ）と、各柱脚部プレート３ａから斜め上方向に立設される第１斜柱２１及び第２斜柱２２と、各柱脚部プレート３ｂから斜め上方向に立設される第３斜柱２３及び第４斜柱２４とを備える。
【００１３】
第１斜柱２１及び第２斜柱２２は、下端がボルト及びナット（不図示）により柱脚部プレート３ａに直接固定され、上端がボルト及びナットにより架構４に直接固定される繋材である。一方、第３斜柱２３及び第４斜柱２４は、下端がボルト及びナットにより柱脚部プレート３ｂに直接固定され、上端がボルト及びナットにより架構４に直接固定される繋材である。これら第１斜柱２１〜第４斜柱２４の素材は、例えば溶融亜鉛メッキが施された鉄材である。
【００１４】
この駐車場用架台１は更に架構４を備える。本実施形態に係る架構４はＴ形鋼であり、この架構が有するウェブ部の側面に第１斜柱２１〜第４斜柱２４の上端が固定されることによって、第１斜柱２１〜第４斜柱２４によって下方から支持される。
【００１５】
特に、第１斜柱２１の上端は、架構４の一端（図中左端）側の第１接続部４１において直接固定される。また、第２斜柱２２及び第３斜柱２３の上端は、架構４の略中央の第２接続部４２において直接固定される。更に、第４斜柱２４の上端は、架構４の他端（図中右端）側の第３接続部４３において直接固定される。このようにして、第１斜柱２１〜第４斜柱２４はトラス（三角形）構造体を構成している。
【００１６】
隣り合う架構４の第１接続部４１間には、架構４同士を連結するための架構継材５が取り付けられる。そして、この架構継材５と第１斜柱２１との間には、補強材２０が取り付けられる。同様に、隣り合う架構４の第３接続部４３間にも、架構４同士を連結するための架構継材５が取り付けられ、この架構継材５と第４斜柱２４との間には補強材２０が取り付けられる。
【００１７】
また、隣り合う架構４間には、架構４を支えるための長尺で四角柱状の母屋材６が所定間隔で設置される。母屋材６と架構４との接続態様については後述する。図２では、６本の母屋材６が架構４間に並行に設置されている。
【００１８】
そして、これら架構４、架構継材５及び母屋材６の上方には、ガルバリュウム鋼板等の屋根プレート７が設置される。更に屋根プレート７の上部には、太陽電池パネル（不図示）が設置される。
【００１９】
以上に示す構成により、本実施形態に係る駐車場用架台１では、隣り合う架構４並びに第１斜柱２１〜第２斜柱２４で囲まれた下方のスペースに車体が駐車可能であるとともに、屋根プレート７の上部に太陽電池パネルを搭載させることで、太陽光発電を行うことも可能である。
【００２０】
図３は、本実施形態に係る駐車場用架台を側方から見た図である。
【００２１】
図３では、図２の矢印Ａの方向から駐車場用架台１を見た図を示している。なお、図１及び図２と同様の構成要素については同一の符号を付して重複する説明を適宜省略する。
【００２２】
駐車用架台１は、鋼管杭２ａ、２ｂ、柱脚部プレート３ａ、３ｂ、架構４、架構継材５、母屋材６、第１斜柱２１、第２斜柱２２、第３斜柱２３、第４斜柱２４を有する。
【００２３】
鋼管杭２ａ、２ｂは、回転圧入工法により地盤に鉛直方向に打設される円形鋼管からなる基礎杭である。なお、鋼管杭２ａ、２ｂは同一の構成である。
【００２４】
柱脚部プレート３ａ、３ｂは、各鋼管杭２ａ、２ｂの杭頭部に溶接により接合される接合される逆台形型の薄板状の金属板である（図５（ａ）、（ｂ）参照）。すなわち、柱脚部プレート３ａ、３ｂは、架構４のウェブ部と平行な平面を有する平板状のプレートである。柱脚部プレート３ａは、架構４の第１接続部４１と第２接続部４２の間の直下位置に配置され、柱脚部プレート３ｂは、架構４の第２接続部４２と第３接続部４３の間の直下位置に配置される。なお、柱脚部プレート３ａ、３ｂは同一の構成である。柱脚部プレート３ａ、３ｂの詳細については図５を用いて後述する。
【００２５】
第１斜柱２１は、柱脚部プレート３ａと架構４とを連結するよう配置される繋材である。この第１斜柱２１は、円柱状の胴体部と、上下端に溶接により接合されるいずれも平板状の柱頭部目板プレート２１ａ、柱脚部目板プレート２１ｂとから構成される。これら柱頭部目板プレート２１ａ、柱脚部目板プレート２１ｂも、溶融亜鉛メッキが施された鉄材により構成される（以下、同様）。
【００２６】
同様に、第２斜柱２２は柱脚部プレート３ａと架構４とを連結するよう配置される繋材である。この第２斜柱２２は、円柱状の胴体部と、上下端に溶接により接合されるいずれも平板状の柱頭部目板プレート２２ａ、柱脚部目板プレート２２ｂとから構成される。
【００２７】
一方、第３斜柱２３、第４斜柱２４は、柱脚部プレート３ｂと架構４とを連結するよう配置される繋材である。第３斜柱２３は、円柱状の胴体部と、上下端に溶接により接合されるいずれも平板状の柱頭部目板プレート２３ａ、柱脚部目板プレート２３ｂとから構成される。第４斜柱２４は、円柱状の胴体部と、上下端に溶接により接合されるいずれも平板状の平板状の柱頭部目板プレート２４ａ、柱脚部目板プレート２４ｂとから構成される。
【００２８】
これら第１斜柱２１〜第４斜柱２４は、隣り合う斜柱間に連続性を与えて補強するためのトラス構造体を構成する。
【００２９】
架構４は、第１斜柱２１〜第４斜柱２４により支持され、第１斜柱２１と接続するための第１接続部４１と、第２斜柱２２及び第３斜柱２３と接続するための第２接続部４２と、第４斜柱２４と接続するための第３接続部４３とが設けられたＴ形鋼である。各接続部４１〜４３の詳細については図４を用いて後述する。
【００３０】
なお、図３に示すように、第１斜柱２１の下端である柱脚部目板プレート２１ｂと第２斜柱２２の下端である柱脚部目板プレート２２ｂとは、それぞれ柱脚部プレート３ａの反対側の面に取り付けられる。具体的には、第１斜柱２１の下端は柱脚部プレート３ａの図中裏面（一方の面）に直接固定され、第２斜柱２２の下端は柱脚部プレート３ａの図中表面（他方の面）に直接固定される。同様に、第３斜柱２３の下端である柱脚部目板プレート２３ｂと第４斜柱２４の下端である柱脚部目板プレート２４ｂとは、それぞれ柱脚部プレート３ｂの反対側の面に取り付けられる。
【００３１】
そして、図３に示すように、第１斜柱２１の上端である柱頭部目板プレート２１ａは、架構４のウェブ部の図中裏面に取り付けられる。第２斜柱２２の上端である柱頭部目板プレート２２ａは、架構４のウェブ部の図中表面に取り付けられる。同様に、第３斜柱２３の上端である柱頭部目板プレート２３ａは、架構４のウェブ部の図中裏面に取り付けられる。第４斜柱２４の下端である柱頭部目板プレート２４ａは、架構４のウェブ部の図中表面に取り付けられる。
【００３２】
すなわち、第１斜柱２１、第２斜柱２２、第３斜柱２３、第４斜柱２４が交互に、架構４のウェブ部及び柱脚部プレート３ａ、３ｂの反対側の面に取り付けられるよう構成されている。具体的には、第１斜柱２１、第２斜柱２２、第３斜柱２３、第４斜柱２４の順に図中裏面、表面、裏面、表面に取り付けられている。なお、第１斜柱２１、第２斜柱２２、第３斜柱２３、第４斜柱２４の順に図中表面、裏面、表面、裏面に取り付けられても良い。以下、これらの接続態様について詳細に説明する。
【００３３】
図４は、本実施形態に係る架構と各斜柱の接続態様を示す図である。図４では、架構４と第１斜柱２１、第２斜柱２２、第３斜柱２３、第４斜柱２４との接続態様を示している。
【００３４】
図４に示すように、架構４の第１接続部４１、第２接続部４２、第３接続部４３にはそれぞれ２つ、３つ、２つのボルト穴が形成されている。
【００３５】
第１斜柱２１の上端には、平板状の柱頭部目板プレート２１ａが溶接により接合されており、この柱頭部目板プレート２１ａには２つの貫通穴が形成されている。架構４の第１接続部４１において、柱頭部目板プレート２１ａは、ボルト５１及びナット５２により架構４のウェブ部の図中裏面に直接固定される。
【００３６】
同様に、第４斜柱２４の上端には、平板状の柱頭部目板プレート２４ａが溶接により接合されており、この柱頭部目板プレート２４ａには２つの貫通穴が形成されている。架構４の第３接続部４３において、柱頭部目板プレート２４ａは、ボルト５１及びナット５２により架構４のウェブ部の図中表面に直接固定される。
【００３７】
一方、第２斜柱２２、第３斜柱２３の上端にはそれぞれ、平板状の柱頭部目板プレート２２ａ、２３ａが溶接により接合されており、これら柱頭部目板プレート２２ａ、２３ａには３つの貫通穴が形成されている。架構４の第２接続部４２において、柱頭部目板プレート２２ａ、２３ａは、同一のボルト５１及びナット５２を用いてウェブ部の同一位置において両面に固定される。
【００３８】
以上に示すように、第１斜柱２１〜第４斜柱２４はボルト５１及びナット５２のみを用いて架構４のウェブ部の両面に取り付けられる。本実施形態によれば、架構４としてＴ形鋼を使用している点、第１斜柱２１〜第４斜柱２４の上端に平板状の目板プレートを接合させている点、及び、第１斜柱２１〜第４斜柱２４の上端を交互に架構４の反対側の面に取り付けている点により、別途目板等の部品を設けることなく簡易な構成で、且つ、力学的にバランス良く第１斜柱２１〜第４斜柱２４を架構４に連結させることができる。
【００３９】
なお、架構４の第１接続部４１〜第３接続部４３に形成されるボルト穴の数及び各柱頭部目板プレート２１ａ〜２４ａの形状や貫通穴の数は、上記の場合に限定されるものではないものとする。
【００４０】
図５は、本実施形態に係る柱脚部プレートと各斜柱の接続態様を示す図である。図５（ａ）は、図３の枠Ｂの部分を拡大して示したものである。図５（ｂ）は、図５（ａ）を側方から見た図である。
【００４１】
図５（ａ）、（ｂ）では、柱脚部プレート３ａと第１斜柱２１、第２斜柱２２との接続態様を示している。なお、柱脚部プレート３ｂと第３斜柱２３、第４斜柱２４との接続態様も同様である。
【００４２】
柱脚部プレート３ａは、鋼管杭２ａの直上において各鋼管杭２に接合される逆台形型の薄板状の金属板である。図５（ａ）に示すように、柱脚部プレート３ａの側面上下には横長穴のボルト穴３１、３２が形成されている。なお、ボルト穴３１の横長がボルト穴３２よりも長い態様で形成されている。
【００４３】
第２斜柱２２の下端には、長軸方向に２つの貫通穴が形成された縦長平板状の柱脚部目板プレート２２ｂが溶接により接合されている。この柱脚部目板プレート２２ｂは、２対のボルト５１及びナット５２により、柱脚部プレート３ａの図中表面に固定される。なお、第２斜柱２２の鉛直方向に対する傾きに応じて、ボルト穴３１、３２における柱脚部目板プレート２２ｂの固定位置を調整する。
【００４４】
同様に、第１斜柱２１の下端には、柱脚部目板プレート２２ｂと同形状の柱脚部目板プレート２１ｂが溶接により接合されており、この柱脚部目板プレート２１ｂにも長軸方向に２つの貫通穴が形成されている。この柱脚部目板プレート２１ｂは、２対のボルト５１及びナット５２により、柱脚部プレート３ａの図中裏面に固定される。第２斜柱２２と同様に、この第１斜柱２１の鉛直方向に対する傾きに応じて、ボルト穴３１、３２における柱脚部目板プレート２１ｂの固定位置を調整する。
【００４５】
なお、ボルト穴３２において柱脚部目板プレート２１ｂ、２２ｂは、同一のボルト５１及びナット５２を用いて柱脚部プレート３ａの両側面から固定される。
【００４６】
以上に示すように、第１斜柱２１、第２斜柱２２はボルト５１及びナット５２のみを用いて柱脚部プレート３ａの両面に取り付けられる。本実施形態によれば、柱脚部プレート３ａとして平板状の金属板を使用している点、第１斜柱２１〜第４斜柱２４の下端に平板状の目板プレートを接合させている点、及び、第１斜柱２１及び第２斜柱２２（又は、第３斜柱２３及び第４斜柱２４）の下端を柱脚部プレート３ａ（又は、柱脚部プレート３ｂ）の反対側の面に取り付けている点により、別途目板等の部品を設けることなく簡易な構成で、且つ、力学的にバランス良く第１斜柱２１〜第４斜柱２４を柱脚部プレート３ａ、３ｂに連結させることができる。
【００４７】
なお、柱脚部プレート３ａ、３ｂに形成されるボルト穴の数及び各柱脚部目板プレート２１ｂ〜２４ｂの形状や貫通穴の数は、上記の場合に限定されるものではないものとする。
【００４８】
図６は、本実施形態に係る架構と各母屋材の接続態様を示す図である。図６では、架構４と母屋材６との接続態様を示している。
【００４９】
架構４のウェブ部の両側面に、側面視Ｌ字状の目板４ａが溶接により接合される。一方、長尺な四角柱状の母屋材６の端面には、目板４ａと点対称の態様で側面視Ｌ字状の目板６ａが溶接により接合される。これら目板４ａ、６ａとの間はボルト５１及びナット５２により固定される。
【００５０】
以上に示してきたように、本実施形態に係る駐車場用架台１によれば、ボルト５１及びナット５２のみを用いて各構成要素を組み合わせる簡易な構成であるので、組立・解体が容易に行うことができるとともに、建設材料を破壊することなく解体可能であり、建設材料をリユースすることができる。また、鋼管杭２ａ、２ｂを用いているので、既設のアスファルト舗装された難地盤に対して当該駐車場用架台１を構築することも可能であり、この場合にはアスファルト舗装を撤去する必要がないため、製作工程を短縮化させることができる。
【００５１】
以上、本発明の一実施形態について説明したが、上記実施形態は本発明の適用例の一つを示したものであり、本発明の技術的範囲を上記実施形態の具体的構成に限定する趣旨ではない。
【００５２】
例えば、上記実施形態では、駐車場用の架台である場合を例に説明してきたが、駐車場用の用途に限定されるものではない。例えば住居用等その他の用途であっても良い。また、例えば、上記実施形態では、地盤に対して打設された鋼管杭２ａ、２ｂに対して柱脚部プレート３ａ、３ｂを接合させる形態を例に説明してきたが、この場合に限定されるものではない。例えば架構４の直下位置に架構４と平行にコンクリート基礎を設置し、柱脚部プレート３ａ、３ｂを所定の土台に固定したものを、アンカーボルトを介してコンクリート基礎に対して固定させる形態であっても良い。
【符号の説明】
【００５３】
１  駐車場用架台
２ａ、２ｂ  鋼管杭
３ａ、３ｂ  柱脚部プレート
４  架構
５  架構継材
６  母屋材
２１  第１斜柱
２２  第２斜柱
２３  第３斜柱
２４  第４斜柱
４１  第１接続部
４２  第２接続部
４３  第３接続部
５１  ボルト
５２  ナット
【図１】
2016125252.tif 000003
【図２】
2016125252.tif 000004
【図３】
2016125252.tif 000005
【図４】
2016125252.tif 000006
【図５】
2016125252.tif 000007
【図６】
2016125252.tif 000008